(57)【要約】【課題】  自動給紙装置の繰出ローラが給紙トレイ上に衝突する際の衝撃によって生じる画像読取装置の上下方向の振動を効果的に吸収して減衰し、カラー画像および細密画像において色ムラや画像ブレなどを発生させないようにすることである。【解決手段】  原稿を読み取るための第１コンタクトガラス３及び第２コンタクトガラス４を有するプラテンと、このプラテンの下方に配置されプラテン上を移動する原稿を所定の静止位置で静止して読み取るとともに、前記プラテン上に載置された原稿を前記プラテンに沿って移動して読み取る読取キャリッジ５とを備えた画像読取装置１において、前記読取キャリッジ５の振動を規制するために、前記静止位置に静止した前記読取キャリッジ５の下面との間に隙間を設けて磁石１７を配置した。【選択図】  図２
2010098347.tif 000002
【特許請求の範囲】
【請求項１】
原稿を読み取るためのプラテンと、このプラテンの下方に配置されプラテン上を移動する原稿を所定の静止位置で静止して読み取るとともに、前記プラテン上に載置された原稿を前記プラテンに沿って移動して読み取る読取キャリッジと、を備えた画像読取装置において、
前記読取キャリッジの振動を規制するために、前記静止位置に静止した前記読取キャリッジの下面との間に隙間を設けて磁石を配置したことを特徴とする画像読取装置。
【請求項２】
前記磁石は、前記読取キャリッジに設けられた反射ミラーの下方位置に配置されている請求項１記載の画像読取装置。
【請求項３】
前記読取キャリッジに設けられた反射ミラーの下方位置は、該読取キャリッジの副走査方向の一端側に位置している請求項２記載の画像読取装置。
【請求項４】
前記磁石は、前記読取キャリッジの左右両側を支持するガイドレールの近傍にそれぞれ配置されている請求項１記載の画像読取装置。
【請求項５】
原稿を読み取るためのプラテンと、このプラテンの下方に配置され、前記プラテン上を移動する原稿を静止して読取るとともに前記プラテン上に載置された原稿を前記プラテンに沿って移動して読取る読取キャリッジと、原稿を載置する給紙トレイと、上下方向に移動自在に設けられ、給紙トレイ上の最上位原稿に当接して原稿を繰り出す繰出手段と、前記繰出手段で繰り出された原稿を１枚に分離して給送する給紙手段と、前記給紙手段で給送された原稿を前記プラテン上に搬送する搬送手段と、を備えた画像読取装置において、
前記繰出手段が原稿に当接する際に生じる前記読取キャリッジの上下方向の振動を規制する磁石を、前記読取キャリッジの上面及び下面の少なくとも一方の面と対向するように配置したことを特徴とする画像読取装置。
【請求項６】
前記読取キャリッジは、原稿を露光するランプと原稿からの反射光を反射する第１反射ミラーを備えた第１キャリッジと、第１キャリッジからの反射光を折り返す第２および第３反射ミラーを備えた第２キャリッジと、を備え、
前記磁石は、前記第２キャリッジの上面及び下面の少なくとも一方の面と対向するように配置した請求項５に記載の画像読取装置。
【請求項７】
前記磁石は、第３反射ミラーの下方において前記第２キャリッジの下面と対向するように配置した請求項６に記載の画像読取装置。
【発明の詳細な説明】
【技術分野】
【０００１】
本願発明は、プラテン上を移動する原稿の画像とプラテン上に載せ置いた原稿の画像の両方を読み取るための読取キャリッジを備えた画像読取装置に関するものである。
【背景技術】
【０００２】
一般に複写機、ファクシミリ、スキャナ装置などの画像読取装置は、プラテン上を移動する原稿の画像或いはプラテン上に載せ置いた原稿の画像を、ＣＣＤなどの固体撮像素子で順次読み取るものとして広く知られている。そして、画像読取装置は、その上部に給紙トレイに積載した原稿を順次１枚ずつ分離して前記プラテン上に搬送する自動給紙装置原稿を備えている。
【０００３】
従来、この種の画像読取装置は、自動給紙装置から給紙された原稿が移動しながら接する第１コンタクトガラス及び原稿を直接載せ置く第２コンタクトガラスを有するプラテンと、前記第１コンタクトガラスの上面に接しながら移動する原稿の画像を停止した状態で読み取る第１読取モードおよび前記第２コンタクトガラスの上面に載せ置いた原稿の画像をプラテンに沿って移動しながら読み取る第２読取モードを有する読取キャリッジとを備えている。この読取キャリッジはランプ等の光源から発せられた光を原稿に照射し、その反射光を複数のミラーで反射させ、レンズを介してＣＣＤなどの光電変換手段により光電変換して原稿の画像を読み取るものである。
【０００４】
一方、従来の自動給紙装置は、給紙トレイ上に積載した原稿を正逆転ローラ対或いはローラと摩擦パッドなどで構成する分離手段によって１枚ずつ分離して給送し、この原稿をレジストローラなどの給紙経路に配置した搬送手段（ローラ、ベルトなど）でプラテン上に搬送している。そして、給紙トレイ上には分離ローラ（分離手段）に最上位原稿を繰り出す繰出ローラなどの繰出手段が設けられ、この繰出手段はトレイ上の最上位原稿と接する位置（繰出位置）と、これから離れた退避位置との間で昇降自在に配置されている。これはトレイ上の原稿を繰り出して分離手段で分離する間は最上位原稿と当接してこれを繰り出し、分離手段が分離した後この原稿をレジストローラ等の搬送手段でプラテンに向けて搬送する間は、原稿から離れた上方に退避して原稿搬送の負荷を軽減する為である。したがって、繰出ローラは原稿を送る給紙サイクル毎に給紙トレイ上方の退避位置と繰出位置との間で上下昇降運動を繰り返すこととなる。
【０００５】
ところが、繰出ローラは原稿の給紙サイクル毎に上下昇降運動が繰り返され、その都度紙トレイ上の原稿に突き当てて衝撃を加えることになる。その結果、この衝撃が画像読取装置に伝達されて読取キャリッジに振動を発生させる原因となり、カラー画像の読取時や細密画像の読取時などにおいて、色ムラや画像ブレなどを引き起こすおそれがあった。
【０００６】
従来、画像読取装置の振動が画像形成に影響を与えないようにするための手段として、特許文献１が知られている。これは原稿台上に載置された原稿の画像を読み取る第１読取モードと、原稿を移動させつつ原稿の画像を読み取る第２読取モードとを備えたスキャナユニットを、前記第２読取モードでの読取動作中において原稿読取位置に固定するものである。具体的には磁石を用いてスキャナユニットの左右両端部を磁力によって固定するものである。
【０００７】
しかしながら、画像読取装置に生じる振動は、上記繰出ローラがトレイ上の原稿に突き当たる際の衝撃によって引き起こされるものであるため、読取キャリッジには上下方向の振動として発生し易いが、上記のように、スキャナユニットの左右両端部を磁力によって固定する方法では、左右方向の振動に対して効果的であるものの、上下方向の振動に対しては必ずしも十分なものとは言えなかった。
【特許文献１】特開２００３−８８４０号公報
【発明の開示】
【発明が解決しようとする課題】
【０００８】
そこで、本発明が解決しようとする問題点は、自動給紙装置の繰出ローラが給紙トレイ上に衝突する際の衝撃によって生じる画像読取装置の上下方向の振動を効果的に吸収して減衰し、カラー画像および細密画像において色ムラや画像ブレなどを発生させないようにすることである。
【課題を解決するための手段】
【０００９】
本発明に係る画像読取装置は、原稿を読み取るためのプラテンと、このプラテンの下方に配置され前記プラテン上を移動する原稿を所定の静止位置で静止して読み取るとともに、前記プラテン上に載置された原稿を前記プラテンに沿って移動して読み取る読取キャリッジと、を備えた画像読取装置において、前記読取キャリッジの振動を規制するために、前記静止位置に静止した前記読取キャリッジの下面との間に隙間を設けて磁石を配置したことを特徴とする。
【００１０】
また、本発明に係る画像読取装置は、原稿を読み取るためのプラテンと、このプラテンの下方に配置され、前記プラテン上を移動する原稿を静止して読取るとともに前記プラテン上に載置された原稿を前記プラテンに沿って移動して読取る読取キャリッジと、原稿を載置する給紙トレイと、上下方向に移動自在に設けられ、給紙トレイ上の最上位原稿に当接して原稿を繰り出す繰出手段と、前記繰出手段で繰り出された原稿を１枚に分離して給送する給紙手段と、前記給紙手段で給送された原稿を前記プラテン上に搬送する搬送手段と、を備えた画像読取装置において、前記繰出手段が原稿に当接する際に生じる前記読取キャリッジの上下方向の振動を規制する磁石を、前記読取キャリッジの上面及び下面の少なくとも一方の面と対向するように配置したことを特徴とする。
【００１１】
本発明において、前記磁石は、読取キャリッジに設けられた反射ミラーの下方位置、特に前記第２キャリッジに設けられた第３反射ミラーの下方位置に配置されるのが好ましい。
【００１２】
また、本発明において、前記磁石は、読取キャリッジの左右両側を支持するガイドレールの近傍にそれぞれ配置されるのが好ましい。
【発明の効果】
【００１３】
本発明に係る画像読取装置によれば、読取キャリッジの振動を規制する磁石を、プラテンの下方に配置された読取キャリッジの静止位置において該読取キャリッジの下面との間に隙間を設けて配置したので、自動給紙装置の繰出ローラが給紙トレイ上に衝突する際の衝撃によって生じる上下方向の振動を効果的に吸収して減衰させることができ、カラー画像や細密画像の色ムラや画像ブレの発生を抑えることができる。
【００１４】
また、本発明の画像読取装置によれば、読取キャリッジの副走査方向の一端側に位置する反射ミラーの下方位置に磁石を配置することで、読取キャリッジの副走査方向の揺動に対しても効果的に作用する。
【００１５】
さらに、本発明の画像読取装置によれば、磁石が読取キャリッジの左右両側を支持するガイドレールの近傍にそれぞれ配置することで、読取キャリッジの上下方向の振動及び副走査方向の揺動に対してさらに効果的に作用する。
【発明を実施するための最良の形態】
【００１６】
以下、添付図面に基づいて本発明に係る画像読取装置の実施形態を詳細に説明する。図１は上部に自動給紙装置を備えた本発明の画像読取装置の断面を示す図であり、図２はその主要部の断面を示す図である。
【００１７】
図１及び図２において、符号１は画像読取装置であり、符号２はその上に搭載された自動給紙装置である。自動給紙装置２から画像読取装置１のプラテン上に搬送された原稿の画像を、プラテンの下方に配設された読取キャリッジによって読み取るように構成されている。
【００１８】
前記画像読取装置１のプラテンは、前記自動給紙装置２から搬送された原稿が移動しながら接する第１コンタクトガラス３と、原稿を載せ置くことができる第２コンタクトガラス４とを備える。また、プラテンの下方にはプラテン上の原稿の画像を読み取る読取キャリッジ５が配置されている。この読取キャリッジ５は、第２コンタクトガラス４と平行に移動する第１読取キャリッジ６と第２読取キャリッジ７とで構成され、これら第１読取キャリッジ６及び第２読取キャリッジ７の両端部をそれぞれ支持する上下２段のガイドレール８ａ，８ｂによって副走査方向に案内される。ガイドレール８ａ，８ｂ内には第１読取キャリッジ６及び第２読取キャリッジ７を走査するためのワイヤ駆動機構９が配設されている。
【００１９】
前記第１読取キャリッジ６は、原稿に光を照射するための光源１０と、原稿からの反射光を反射して第２読取キャリッジ７に導くための第１反射ミラー１１とをフレーム内に備える。また、第２読取キャリッジ７は、前記第１反射ミラー１１からの反射光を結像ユニット１３に導くための第２反射ミラー１２ａ及び第３反射ミラー１２ｂをフレーム内に上下に備える。前記結像ユニット１３は、原稿からの反射光を電気信号に変換するもので、第２読取キャリッジ７からの反射光を集束する集束レンズ１４と、この集束光を受光して光電変換するＣＣＤなどの電荷結合素子１５と、この電荷結合素子１５からのアナログ信号をデジタル信号に変換するＡ／Ｄ変更処理やＲ、Ｇ、Ｂの３つの信号を同一ラインの情報として揃えるための遅延処理などを行うための制御基板１６を備えている。
【００２０】
前記第１及び第２読取キャリッジ６，７は、自動給紙装置２から第１コンタクトガラス３上に搬送された原稿の画像を静止した状態で読み取る第１読取モードと、記第２コンタクトガラス４上に載せ置いた原稿の画像を第２コンタクトガラス４に沿って移動しながら読み取る第２読取モードとを有している。
【００２１】
次に、上記構成からなる画像読取装置１の画像読取動作について説明する。まず、第１読取モード時には、第１読取キャリッジ６と第２読取キャリッジ７を第１コンタクトガラス３の下方位置に静止させ、自動給紙装置２から搬送される原稿に対して光源１０から照射光を照射する。そして、原稿からの反射光を第１読取キャリッジ６の第１反射ミラー１１、第２読取キャリッジ７の第２反射ミラー１２ａ，第３反射ミラー１２ｂ及び集束レンズ１４を介して結像ユニット１３に導き、電荷結合素子１５に結像させる。一方、第２読取モード時には、第１読取キャリッジ６と第２読取キャリッジ７を副走査モータ（図示せず）の駆動により第２コンタクトガラス４の下方を原稿と平行に副走査方向に移動させ、第２コンタクトガラス４上に載置された原稿に光源から照射光を照射する。そして、第１読取モードと同様、原稿からの反射光を第１読取キャリッジ６の第１反射ミラー１１、第２読取キャリッジ７の第２反射ミラー１２ａ，第３反射ミラー１２ｂ及び集束レンズ１４を介して結像ユニット１３に導き、電荷結合素子１５に結像させる。電荷結合素子１５で変換された電気信号は、原稿情報（画像情報）として制御基板１６で処理される。
【００２２】
本発明において特徴的な点は、前記読取キャリッジ５の下方位置、具体的には第２読取キャリッジ７の下面近傍に磁石１７を配置していることである。図２に示すように、この実施形態では第２読取キャリッジ７の第３反射ミラー１２ｂの下部近傍に磁石１７を配置し、且つ第２読取キャリッジ７のフレームの下面から水平方向に突出させた金属板１８と対峙するように配置し、またこの金属板１８との間に僅かな隙間を設けている。この隙間を設けることによって、第２読取キャリッジ７が副走査方向にスムーズに移動できようにしている。
【００２３】
この磁石１７は、第１読取モードにおける第１読取キャリッジ６及び第２読取キャリッジ７の静止位置を基準として配置されることで、第１読取モードにおける読取キャリッジ５の振動を効果的に抑える。前記磁石１７は画像読取装置１の筐体１９の底面１９ａに直接固定されており、第２読取キャリッジ７を磁力によって吸着している。また、この実施形態では、図４に示したように、第１読取キャリッジ６及び第２読取キャリッジ７の両端部を支持する上下２段のガイドレール８ａ，８ｂの近傍において、一対の矩形状の磁石１７がそれぞれ配置されているが、この矩形状磁石を第２読取キャリッジ７の中央部に配置してもよく、また、第２読取キャリッジ７の主走査方向に沿って複数配置したり、棒状の磁石を配置してもよい。なお、この磁石１７は永久磁石又は電磁石のいずれであってもよい。
【００２４】
次に、前記画像読取装置１の第１コンタクトガラス３上に原稿を搬送する自動給紙装置２について説明する。図１及び図２に示したように、自動給紙装置２は、複数枚の原稿を載置可能な給紙トレイ２０と、給紙トレイ２０上の原稿を１枚ずつ分離して第１のコンタクトガラス３に向けて給送する給紙部（給送手段）３０と、原稿を第１のコンタクトガラス３の上面に沿って通過させる搬送部４０と、第１のコンタクトガラス３の上面を通過した原稿を受け取って排出する排紙部５０と、この排紙部５０から排出される原稿を収納する排紙トレイ２１と、を備えている。さらに、この自動給紙装置２は、第１のコンタクトガラス３の上面から排出される原稿を排紙部５０でスイッチバックさせ、再び給紙部３０に送り込んで第１のコンタクトガラス３の上面に給送させるスイッチバック部６０と、を具備している。ここで、給紙トレイ２０は、ある程度の角度で傾斜して、排紙トレイ２１の上方に空間を確保して配置されている。
【００２５】
給紙トレイ２０に載置された原稿は、その側部がサイドガイド２２で規制され、先端部がストッパー２３で規制される。
【００２６】
給紙部３０は、下降して給紙トレイ２０上の原稿の最上面に当接し、原稿を繰り出す昇降自在な繰出ローラ３２と、繰出ローラ３２で繰り出された原稿を給紙する給紙ローラ３３及び最上位原稿の１枚のみを通過して２枚目以降の原稿の給紙を阻止する分離パッド３４で構成された分離手段と、この分離手段で１枚に分離された原稿の先端を突き当てて整合した後に下流側に送るレジストローラ対３５とで構成され、給紙路３１に沿って原稿を給紙する。
【００２７】
前記繰出ローラ３２は、その駆動軸３２ｄが昇降アーム３２ａに回転自在に支持されている。また、昇降アーム３２ａは、他端が給紙ローラ３３の駆動軸３３ａに取り付けられており、給紙ローラ３３の駆動軸３３ａの回転によって回動する。この昇降アーム３２ａの回動は給紙モータの正逆転によって行なわれ、この回動によって繰出ローラ３２を昇降動させることができる。
【００２８】
前記昇降アーム３２ａが給紙トレイ２０上の原稿上面側（下方）に回動して繰出ローラ３２を下降させると、この繰出ローラ３２は原稿の最上面に衝突して、給紙ローラ３２の下降が停止される。これによって、給紙ローラ３３の駆動軸３３ａに所定のトルクが発生し、給紙ローラ３３の駆動軸３３ａに対して昇降アーム３２ａが空転することで、繰出ローラ３２は原稿の上面に当接した状態を保持する。
【００２９】
また、給紙モータを逆回転させると、給紙ローラ３３の回転軸３３ａが給紙方向と逆方向に回転し、それに伴って昇降アーム３２ａは給紙トレイ２０上の原稿の上面から離間する方向（上方）に回動して繰出ローラ３２を上昇させる。そして、この繰出ローラ３２は、昇降アーム３２ａの一部が給紙カバーに形成された規制部に当接することで上昇を停止する。これによって、給紙ローラ３３の駆動軸３３ａに所定のトルクが発生し、給紙ローラ３３の駆動軸３３ａに対して昇降アーム３２ａが空転することで、繰出ローラ３２は上昇位置に保持される。
【００３０】
前記搬送部４０は、第１のコンタクトガラス３の上流側において、第１のコンタクトガラス３上に原稿を搬送する一対の搬入ローラ対４２を、下流側において第１のコンタクトガラス３から原稿を排出する一対の搬出ローラ対４３を備えており、原稿は画像読取装置１の第１のコンタクトガラス３及びすくい上げガイド４５と自動給紙装置２側の白色バックアップガイド４４とで形成された搬送路４１に沿って搬送される。
【００３１】
前記排紙部５０及びスイッチバック部６０は排紙トレイ２１側の一部を共有しており、この共有部分には原稿を排紙トレイ２１に排紙する排紙ローラ対５２が設けられている。この排紙ローラ対５２は、両面モードの際に原稿の後端側をニップした状態で逆回転して原稿をスイッチバックさせて給紙部３０に送るように制御され、さらに排紙ローラ対５２はスイッチバック部６０から給紙部３０及び搬送部４０を介して循環される原稿の先後端がすれ違う際に支障なく搬送できるように排紙駆動ローラ５２ａから排紙従動ローラ５２ｂが離間するように構成されている。また、排紙部５０とスイッチバック部６０の共有部には、原稿を給紙部３０に案内するフラッパ５３が設けられている。このフラッパ５３は、常時付勢バネ（図示せず）で下方に付勢されており、原稿が排紙路５１に沿って排紙ローラ対５２に送られる際には、排紙される原稿の先端により上方に押し上がり原稿の通過を許容し、排紙ローラ対５２にて原稿をスイッチバックする際には下方に位置して排紙路５１を塞ぎ、スイッチバック路６１に原稿を案内するように構成されている。
【００３２】
上記構成からなる自動給紙装置２にあっては、給紙トレイ２０上に載置された原稿を１枚ずつ繰り出す毎に繰出ローラ３２が昇降動し、給紙トレイ２０の最上面の原稿に突き当たる。そして、この突き当たる時の衝撃が画像読取装置１に伝わって読取キャリッジ５に上下方向の振動を引き起こすが、上述したように、画像読取装置１の第２読取キャリッジが、その下面近傍に配置された磁石１７に固定されているので、読取キャリッジ５の上下方向の振動に対して磁石１７が効果的に作用し、読取キャリッジ５の振動を抑えて減衰させることができる。
【００３３】
また、読取キャリッジ５は、前述した上下方向の振動と共にガイドレール８ａ，８ｂに支持された状態で前後方向（副走査方向）の揺動が生じることもあるが、この実施形態では第２読取キャリッジ７の第３反射ミラー１２ｂの下方に磁石１７を配置して第２読取キャリッジ７が副走査方向に移動する際の一端側（後端側）を磁石１７に固定したので、読取キャリッジ５の副走査方向の揺動を磁石１７によって効果的に抑えることができる。さらに、図３に示したように、第１読取キャリッジ６及び第２読取キャリッジ７の各両端部を支持するガイドレール８ａ,８ｂの近傍で第２読取キャリッジ７の下方位置に一対の磁石１７を配置したので、読取キャリッジ５の両側端が磁石１７に固定されることとなり、読取キャリッジ５に発生する振動や揺動をより効果的に抑えることができる。
【００３４】
なお、図４に示したように、第２読取キャリッジ７に取り付けられた金属板１８と磁石１７との間には隙間が設けられており、また、第２読取モードでは第２読取キャリッジ７は磁石１７に対して滑る方向に移動するので、第２読取キャリッジ７の副走査方向の移動が磁石１７の吸着力によって妨げられるといったことがない。
【００３５】
上記実施の形態では、磁石１７を第２読取キャリッジ７のフレームの下面から水平方向に突出させた金属板１８と対峙するように配置したが、第２読取キャリッジ７のフレームの上面と対峙するように配置したてもよい。この場合、２読取キャリッジ７のフレームの下面と対峙するように配置するのと同様、読取キャリッジ５の上下方向の振動を効果的に抑えることができる。
【図面の簡単な説明】
【００３６】
【図１】自動給紙装置を備えた本発明の画像読取装置の全体構成を示す断面図である。
【図２】自動給紙装置を備えた画像読取装置の主要部の構成を示す拡大断面図である。
【図３】磁石の配置位置を示す画像読取装置の平面図である。
【図４】読取キャリッジが副走査方向に移動する際の磁石との位置関係を示す断面図である。
【符号の説明】
【００３７】
１  画像読取装置
２  自動給紙装置
３  第１コンタクトガラス
４  第２コンタクトガラス
５  読取キャリッジ
６  第１読取キャリッジ
７  第２読取キャリッジ
８ａ，８b  ガイドレール
９  ワイヤ駆動機構
１０  光源
１１  第１反射ミラー
１２ａ  第２反射ミラー
１２ｂ  第３反射ミラー
１３  結像ユニット
１４  集束レンズ
１５  電荷結合素子
１６  制御基板
１７  磁石
１８  金属板
１９  筐体
１９ａ  筐体の底面
２０  給紙トレイ
３２  繰出ローラ
【図１】
2010098347.tif 000003
【図２】
2010098347.tif 000004
【図３】
2010098347.tif 000005
【図４】
2010098347.tif 000006